(57)【要約】【課題】電気光学装置の基板間導通端子の導通不良を原因とする不具合が発生している場合において、導通不良となっている基板間接続端子を効率よく探し出せるようにする。【解決手段】対向基板１２の４隅とＴＦＴ基板１１との間には基板間導通端子１，２，３，４がある。ＴＦＴ基板１１における基板間導通端子１，２と外部回路接続端子８との間には配線Ｌ１８及びＬ２８がある。基板間導通端子１及び２間、基板間導通端子１及び３間、基板間導通端子３及び４間、基板間導通端子２及び４間には配線Ｌ１２，Ｌ１３，Ｌ３４，及びＬ２４がある。配線Ｌ１８と配線Ｌ２３の間には基板間導通端子１を迂回する配線ＬＤＴＲ１がある。配線Ｌ２８と配線Ｌ２４の間には基板間導通端子２を迂回する配線ＬＤＴＲ２がある。【選択図】図１
2012194322.tif 000002
【特許請求の範囲】
【請求項１】
外部回路接続端子が設けられた第１基板と、
電気光学物質層を間に挟んで前記第１基板と向い合う第２基板と、
前記第２基板と電気的な導通を行うために前記第１基板に設けられた複数個の基板間導通端子と、
前記第１基板に設けられ、前記外部回路接続端子から少なくとも１つの前記基板間導通端子に至る第１の配線と、
前記第１基板に設けられ、前記基板間導通端子同士を電気的に接続する第２の配線と、
前記第１基板に設けられ、前記第１の配線から前記基板間導通端子を迂回して前記第２の配線に至る第３の配線と
を具備することを特徴とする電気光学装置。
【請求項２】
前記第３の配線は、複数回の屈曲を経て前記第１の配線から前記第２の配線に至っており且つ各屈曲点の屈曲角が鈍角であることを特徴とする請求項１に記載の電気光学装置。
【請求項３】
前記基板間導通端子は、
第１の方向の延びる第１辺と、前記第１の方向に交差する第２辺と第３辺とを備え、
前記第３の配線は、
前記第１辺に沿った第１直線部と、
前記第２辺に沿って、前記第１直線部と前記第１の配線を接続する第２直線部と、
前記第３辺に沿って、前記第１直線部と前記第２の配線を接続する第３直線とを備え、
前記第１直線部と前記第２直線部、および、前記第１直線と前記第３直線がなす角は、鈍角である、
ことを特徴とする請求項２に記載の電気光学装置。
【発明の詳細な説明】
【技術分野】
【０００１】
本発明は、電気光学装置における不具合箇所の探索を効率よく行うための技術に関する。
【背景技術】
【０００２】
携帯電話機やプロジェクタなどに表示装置として搭載される電気光学装置の中には、ＴＦＴ（Thin Film Transistor）基板、液晶層、及び対向基板を積層した液晶パネルを有するものがある。この種の電気光学装置の構成は次のようになっている。ＴＦＴ基板の中央を占める表示領域には、画素電極とそのスイッチングを行う能動素子であるＴＦＴの各対がマトリクス状に配置されている。対向基板には各画素電極に対峙する対向電極が配置されている。また、ＴＦＴ基板における表示領域の周囲には、外部のＩＣから各種信号の入力を受け付ける役割を果たす外部回路接続端子、画像信号に従ってＴＦＴを駆動する役割を果たす駆動回路、当該ＴＦＴ基板と対向基板とを電気的に導通する役割を果たす基板間導通端子、およびこれらを接続する配線が設けられている。以上のような構成を有する電気光学装置において、ＩＣから外部回路接続端子に共通電位（グランド）が与えられると、この電位が基板間導通端子を介して対向基板に印加される。この状態において、駆動回路は、ＩＣから外部回路接続端子を介して当該駆動回路に与えられる画像信号に従ってＴＦＴを駆動させる。これにより、ＴＦＴに接続された画素電極の電位と対向電極の電位との電位差が変化し、この電位差に応じて画素（画素電極と対向電極に挟まれた液晶）の光透過量が変化する。この各画素の光透過量の変化により、各画素の集合体である画像が表現される。この種の電気光学装置に関わる技術を開示した文献として、特許文献１がある。
【先行技術文献】
【特許文献】
【０００３】
【特許文献１】特開２００７−４７７４６号公報
【発明の概要】
【発明が解決しようとする課題】
【０００４】
この種の電気光学装置では、基板間導通端子の導通不良を原因として表示内容に不具合が発生する場合がある。この場合、導通不良を起こしている基板間導通端子を補修したり新しいものと置き換えることにより、表示内容の不具合を改善することが可能である。しかしながら、これまでのこの種の電気光学装置では、ＴＦＴ基板の４隅に１本ずつ合計４本の基板間導通端子があり、それらの基板間導通端子が外部回路接続端子に対して直列に接続されるような配線が敷設されていた。このため、外部回路接続端子に接続されているＩＣから基板間導通端子の各々に至る電流路をなす配線を一箇所ずつ切断して表示内容の不具合が改善したか否かを確認することができず、４本の基板間導通端子のうち導通不良となっているものを効率よく探し出すことが難しかった。
【０００５】
本発明は、このような課題に鑑みてなされたものであり、電気光学装置の基板間導通端子の導通不良を原因とする不具合が発生している場合において、導通不良となっている基板間接続端子を効率よく探し出せるようにすることを目的とする。
【課題を解決するための手段】
【０００６】
上記課題を解決するため、本発明にかかる電気光学装置は、  外部回路接続端子が設けられた第１基板と、電気光学物質層を間に挟んで前記第１基板と向い合う第２基板と、前記第２基板と電気的な導通を行うために前記第１基板に設けられた複数個の基板間導通端子と、前記第１基板に設けられ、前記外部回路接続端子から少なくとも１つの前記基板間導通端子に至る第１の配線と、前記第１基板に設けられ、前記基板間導通端子同士を電気的に接続する第２の配線と、前記第１基板に設けられ、前記第１の配線から前記基板間導通端子を迂回して前記第２の配線に至る第３の配線とを具備することを特徴とする電気光学装置を提供する。
【０００７】
この発明によると、基板上における第１及び第２の配線の該当箇所を順次切断していくことにより、第１基板上の各基板間導通端子について、当該基板間導通端子以外の１個または複数個の基板間導通端子と外部回路接続端子とを含み、当該基板間導通端子を含まない電流路を作ることができる。よって、電気光学装置に基板間導通端子の導通不良を原因とする不具合が発生している場合における導通不良箇所の探索作業において、第１の基板間導通端子を含まない電流路を形成した場合における表示の不具合の確認、第１及び第２の基板間導通端子を含まない電流路を形成した場合における表示の不具合の確認、第１、第２、及び第３の基板間導通端子を含まない電流路を形成した場合における表示の不具合の確認…を順を追って行い、導通不良となっている端子間接続端を効率よく探すことができる。
【０００８】
この電気光学装置において、前記第３の配線は、複数回の屈曲を経て前記第１の配線から前記第２の配線に至っており且つ各屈曲点の屈曲角が鈍角であってもよい。これによると、屈曲点が鋭角である場合に比べて、屈曲点におけるインダクタンス成分が小さくなり、外部に放射される電界の強度が弱くなる。よって、屈曲点が鋭角である場合に比べてノイズが発生し難くなり、画質の劣化を防止することができる。
【０００９】
より具体的には、前記基板間導通端子は、第１の方向の延びる第１辺と、前記第１の方向に交差する第２辺と第３辺とを備え、前記第３の配線は、前記第１辺に沿った第１直線部と、前記第２辺に沿って、前記第１直線部と前記第１の配線を接続する第２直線部と、前記第３辺に沿って、前記第１直線部と前記第２の配線を接続する第３直線とを備え、前記第１直線部と前記第２直線部、および、前記第１直線と前記第３直線がなす角は、鈍角であることが好ましい。
【図面の簡単な説明】
【００１０】
【図１】本発明の一実施形態である電気光学装置の正面図及び断面図である。
【発明を実施するための形態】
【００１１】
（Ａ：構成）
図１（Ａ）は、本発明の一実施形態である電気光学装置１０の正面図である。図１（Ｂ）は、図１（Ａ）のＢ−Ｂ’線断面図である。この電気光学装置１０は、光源（不図示）から当該電気光学装置１０の背面に向けて照射される光をＭ×Ｎ画素の解像度の画像として正面側に照射する液晶ディスプレイとして動作する。
【００１２】
図１（Ａ）及び図１（Ｂ）に示すように、電気光学装置１０は、液晶層１３と、この液晶層１３を挟んで対向する２枚の基板であるＴＦＴ（Thin Film Transistor）基板１１及び対向基板１２とを有する。ここで、図１（Ａ）では、簡便のため、対向基板１２の図示を割愛している。液晶層１３は、電気光学物質である複数種類のネマティック液晶から形成されている。ＴＦＴ基板１１は扁平な直方体状をなしている。対向基板１２は、ＴＦＴ基板１１よりも僅かに短い縦幅を持った扁平な直方体状をなしている。ＴＦＴ基板１１と対向基板１２は、各々の横幅方向の両端及び縦幅方向の一端を揃えるようにして重ね合わされ、シール材１４により接合されている。
【００１３】
基板１１における基板１２を向いた面である対向面１１０の中央を占める矩形領域ＡＲには、Ｍ行Ｎ列のマトリクスを成すＭ×Ｎ個の画素電極Ｐ−ｍ（ｍ＝１〜Ｍ）−ｎ（ｎ＝１〜Ｎ）が設けられている。ここで、図１（Ａ）では、簡便のため、画素電極Ｐ−ｍ−ｎの寸法を実際のものよりも大きく表している。基板１１の対向面１１０における縦幅方向に隣り合う画素電極Ｐ−ｍ−ｎ間には、横幅方向に延在する走査線２１−ｍが設けられている。基板１１の対向面１１０における横幅方向に隣り合う画素電極Ｐ−ｍ−ｎ間には、縦幅方向に延在するデータ線２２−ｎが設けられている。基板１２における基板１１を向いた面である対向面１２０には、基板１２の画素電極Ｐ−ｍ（ｍ＝１〜Ｍ）−ｎ（ｎ＝１〜Ｎ）と対峙する対向電極Ｐ’（不図示）が設けられている。基板１１の対向面１１０における領域ＡＲを囲む矩形の４隅に相当する位置には、基板１１及び１２間を接続する４つの基板間導通端子１，２，３，４が設けられている。液晶層１３における画素電極Ｐ−ｍ（ｍ＝１〜Ｍ）−ｎ（ｎ＝１〜Ｎ）の各々と対向電極Ｐ’に挟まれた部分の液晶により、画像における１つの画素が構成される。
【００１４】
基板１１の対向面１１０における基板間導通端子１と基板間導通端子２との間には、両端子１及び２を接続する配線Ｌ１２が設けられている。基板１１の対向面１１０における基板間導通端子１と基板間導通端子３との間には、両端子１及び３を接続する配線Ｌ１３が設けられている。基板１１の対向面１１０における基板間導通端子３と基板間導通端子４との間には、両端子３及び４を接続する配線Ｌ３４が設けられている。基板１１の対向面１１０における基板間導通端子２と基板間導通端子４との間には、両端子２及び４を接続する配線Ｌ２４が設けられている。
【００１５】
基板１１の対向面１１０における領域ＡＲを挟んだ横幅方向の両側には走査線駆動回路５および６が設けられている。走査線駆動回路５および６は、走査線２１−ｍ（ｍ＝１〜Ｍ）の一端及び他端と接続されている。走査線駆動回路５および６における基板間導通端子３及び４の側の端部間には、両回路５及び６を接続する配線Ｌ５６が設けられている。
【００１６】
基板１１の対向面１１０における領域ＡＲと配線Ｌ１２との間にはデータ線駆動回路７が設けられている。データ線駆動回路７は、データ線２２−ｎ（ｎ＝１〜Ｎ）の一端と接続されている。基板１１の対向面１１０における配線Ｌ１２と当該対向面１１０の縦幅方向における配線Ｌ１２のある側の端部との間には、外部回路接続端子群８が設けられている。外部回路接続端子群８は、横幅方向に並んだＬ個の端子８−ｉ（ｉ＝１〜Ｌ）の集合体である。これらＬ個の端子８−ｉ（ｉ＝１〜Ｌ）のうち両端の２個の端子８−１及び８−Ｌは、外部のＩＣから共通電位（グランド）ＬＣＣの供給を受けるための端子である。端子８−１及び８−Ｌの内側の端子８−２及び８−（Ｌ−１）は、外部のＩＣから走査線駆動回路５および６の制御信号である同期信号ＣＬの供給を受けるための端子である。残りの端子８−３〜８−（Ｌ−２）は、外部のＩＣからデータ線駆動回路７の制御信号である画像信号ＶＩＤの供給を受けるための端子である。基板１１の対向面１１０における外部回路接続端子８−１とその直近の基板間導通端子１との間には、外部回路接続端子８−１から基板間導通端子１に至る配線Ｌ１８が設けられている。基板１１の対向面１１０における外部回路接続端子８−Ｌとその直近の基板間導通端子２との間には、外部回路接続端子８−Ｌから基板間導通端子２に至る配線Ｌ２８が設けられている。
【００１７】
ここで、外部回路接続端子群８における外部回路接続端子８−ｉ（ｉ＝１〜Ｌ）と外部のＩＣとが接続された状態では、外部のＩＣと、外部回路接続端子８−１及び８−Ｌと、基板間導通端子１，２，３，及び４と、対向基板１２とを含む電流路が形成され、対向基板１２の対向電極Ｐ’の電位がＬＣＣになる。この状態において、走査線駆動回路５および６とデータ線駆動回路７は、外部のＩＣから各々に供給される信号ＣＬ，及びＶＩＤに従って、各画素電極Ｐ−ｍ−ｎを駆動させる。各画素電極Ｐ−ｍ−ｎの駆動により、各画素電極Ｐ−ｍ−ｎと対向電極Ｐ’との電位差が変化し、この電位差に応じて画素（各画素電極Ｐ−ｍ−ｎと対向電極Ｐ’に挟まれた液晶）の透過光量が変化する。これにより、Ｍ×Ｎ画素の解像度の画像が当該電気光学装置１０の正面に向けて照射される。
【００１８】
図１（Ａ）において、基板１１の対向面１１０における配線Ｌ１８（第１の配線）と配線Ｌ１３（第２の配線）との間には、配線Ｌ１８から基板間導通端子１を迂回する経路を通って配線Ｌ１３に至る配線ＬＤＴＲ１（第３の配線）が設けられている。また、対向面１１０における配線Ｌ２８と配線Ｌ２４との間には、配線Ｌ２８から基板間導通端子２を迂回する経路を通って配線Ｌ２４に至る配線ＬＤＴＲ２が設けられている。より詳細に説明すると、配線ＬＤＴＲ１は、配線Ｌ１８における基板間導通端子１に至る直前の位置から配線Ｌ１２のある側と反対側に４５度の角度で分岐した後、第１の屈曲点ＣＬ１における１３５度の角度の屈曲と、その先の第２の屈曲点ＣＬ２における１３５度の角度の屈曲とを経て配線Ｌ１３に合流している。また、配線ＬＤＴＲ２は、配線Ｌ２８における基板間導通端子２に至る直前の位置から配線Ｌ１２のある側と反対側に４５度の角度で分岐した後、第１の屈曲点ＣＲ１における１３５度の角度の屈曲と、その先の第２の屈曲点ＣＲ２における１３５度の角度の屈曲とを経て配線Ｌ２４に合流している。
【００１９】
また、図１（Ａ）に示すように基板間導通端子１は、第１の方向の延びる第１辺と、第１の方向に交差する第２辺と第３辺とを備える。そして、配線ＬＤＴＲ１は、第１辺に沿った第１直線部と、第１直線部と配線Ｌ１８を接続する第２直線部と、第３辺に沿って、第１直線部と配線Ｌ１３を接続する第３直線部とを備え、第１直線部と第２直線部とがなす角、および、第１直線部と第３直線部がなす角は、鈍角となっている。
【００２０】
以上が、本実施形態である電気光学装置１０の構成の詳細である。本実施形態によると、次の２つの効果が得られる。
まず、本実施形態では、ＴＦＴ基板１１に、配線Ｌ１８から基板間導通端子１を迂回して配線Ｌ１３に至る配線ＬＤＴＲ１と、配線Ｌ２８から基板間導通端子２を迂回して配線Ｌ２４に至る配線ＬＤＴＲ２とが設けられている。このため、本実施形態によると、基板１１上における配線Ｌ１２，Ｌ１３，Ｌ１８，Ｌ２４，Ｌ３４，及びＬ２８の該当箇所を順次切断していくことにより、基板１１上の各基板間導通端子１，２，３，４について、当該基板間導通端子以外の１個または複数個の基板間導通端子と外部回路接続端子８−ｉ及び８−Ｌとを含み、当該基板間導通端子を含まない電流路を作ることができる。よって、電気光学装置１０に基板間導通端子の導通不良を原因とする不具合が発生している場合における導通不良箇所の探索において、基板間導通端子１を含まない電流路を形成した場合における表示の不具合の確認、基板間導通端子１及び２を含まない電流路を形成した場合における表示の不具合の確認、基板間導通端子１、２、及び３を含まない電流路を形成した場合における表示の不具合の確認…を順を追って行っていくことにより、導通不良となっている基板間導通端子を探し出すことができる。
【００２１】
この効果について、詳細に説明する。本実施形態における導通不良箇所の探索作業は、以下のような手順で行う。第１に、配線Ｌ１２における任意の部分と、配線Ｌ１８における配線ＬＤＴＲ１の分岐点と基板間導通端子１との間の部分と、配線Ｌ１３における配線ＬＤＴＲ１の合流点と基板間導通端子３との間の部分とを各々切断する。これにより、基板間導通端子１を含まず、外部ＩＣ、基板間導通端子２、基板間導通端子３、基板間導通端子４、及び対向基板１２を含むを含む電流路が形成される。この状態において、当該電気光学装置１０の表示不良が解消した場合は、基板間導通端子１に導通不良があったとみなすことができる。
【００２２】
第２に、配線Ｌ２８における配線ＬＤＴＲ２の分岐点と基板間導通端子４との間の部分と、配線Ｌ２４における配線ＬＤＴＲ２の合流点と基板間導通端子２との間の部分とを各々切断する。これにより、基板間導通端子１及び２を含まず、外部ＩＣ、基板間導通端子３、基板間導通端子４、及び対向基板１２を含む電流路が形成される。この状態において、当該電気光学装置１０の表示不良が解消した場合は、基板間導通端子２に導通不良があったとみなすことができる。
【００２３】
第３に、配線Ｌ１３における配線ＬＤＴＲ１の合流点と基板間導通端子３との間の部分と、配線Ｌ３４における任意の部分とを各々切断する。これにより、基板間導通端子１，２，及び３を含まず、外部ＩＣ、基板間導通端子４及び対向基板１２を含む電流路が形成される。この状態において、当該電気光学装置１０の表示不良が解消した場合は、基板間導通端子３に導通不良があったとみなすことができる。また、表示不良が依然として解消しない場合は、基板間導通端子４に導通不良があったとみなすことができる。
【００２４】
また、本実施形態では、配線ＬＤＴＲ１は複数回の屈曲を経て配線Ｌ１８から配線Ｌ１３に至っており、配線ＬＤＴＲ１における屈曲点ＣＬ１及びＣＬ２の屈曲角が鈍角になっている。また、配線ＬＤＴＲ２は複数回の屈曲を経て配線Ｌ２８から配線Ｌ２４に至っており、配線ＬＤＴＲ２における屈曲点ＣＲ１及びＣＲ２の屈曲角も鈍角になっている。このため、屈曲点が鋭角である場合に比べて、屈曲点における電界の強度が弱くなる。よって、屈曲点が鋭角である場合に比べてノイズを発生し難くなり、画質の劣化を防止することができる。
【００２５】
（Ｂ：変形）
以上、本発明の実施形態について説明したが、この実施形態に以下に述べる変形を加えても勿論良い。
（１）上記実施形態では、ＴＦＴ基板１１及び対向基板１２間の基板間導通端子１，２，３，４の個数は４個であった。しかし、この個数を２〜３個にしてもよいし、５個以上にしてもよい。
【００２６】
（２）上記実施形態では、配線ＬＤＴＲ１は、配線Ｌ１８から２回の屈曲を経て配線Ｌ１３に至るものであり、配線ＬＤＴＲ２は、配線Ｌ２８から２回の屈曲を経て配線Ｌ２４に至るものであった。しかし、配線ＬＤＴＲ１における屈曲の回数や配線ＬＤＴＲ２における屈曲の回数を１回や３回以上にしてもよい。
【００２７】
（３）上記実施形態では、配線ＬＤＴＲ１及びＬＤＴＲ２の屈曲点の角度は鈍角であった。しかし、この角度を鋭角にしてもよい。また、複数個の屈曲点のうち一部の角度を鈍角にし、残りの角度を鋭角にしてもよい。
【００２８】
（４）本発明に適用される電気光学装置について、自身が発光する自発光型と外光の透過率や反射率を変化させる非発光型との区別や、電流の供給によって駆動される電流駆動型と電界（電圧）の印加によって駆動される電圧駆動型との区別は不問である。例えば、有機ＥＬ素子，無機ＥＬ素子，ＬＥＤ（Ｌｉｇｈｔ  Ｅｍｉｔｔｉｎｇ  Ｄｉｏｄｅ），電界電子放出素子（ＦＥ（Ｆｉｅｌｄ−Ｅｍｉｓｓｉｏｎ）素子），表面伝導型電子放出素子（ＳＥ（Ｓｕｒｆａｃｅ  ｃｏｎｄｕｃｔｉｏｎ  Ｅｌｅｃｔｒｏｎ  ｅｍｉｔｔｅｒ）素子），弾道電子放出素子（ＢＳ（Ｂａｌｌｉｓｔｉｃ  ｅｌｅｃｔｒｏｎ  Ｅｍｉｔｔｉｎｇ）素子），電気泳動素子、エレクトロクロミック素子など様々な電気光学素子を利用した電気光学装置に本発明は適用される。すなわち、電気光学素子は、電流の供給や電圧（電界）の印加といった電気的な作用に応じて階調（透過率や輝度などの光学的な特性）が変化する電気光学物質を利用した被駆動素子（典型的には、階調信号に応じて階調が制御される表示素子）として包括される。
【符号の説明】
【００２９】
１，２，３，４…基板間導通端子、５，６…走査線駆動回路、７…データ線駆動回路、８…外部回路接続端子群、１０…電気光学装置、１１…ＴＦＴ基板、１２…対向基板、１３…液晶層、１４…シール部材、２１…走査線、２２…データ線、１１０，１２０…対向面。
【図１】
2012194322.tif 000003